【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、
前記第１のケース及び前記第２のケースのいずれかに設けられて前方に突出する一対のハンドルベース部に回動可能に支持されたハンドルと、を備え、
前記第２のロック部材は、横方向に関して前記一対のハンドルベース部の相互対向面間に位置し、かつ前記相互対向面間の距離の３０％以上の横幅又は４０ｍｍ以上の横幅を有する、電動工具収納ケース。
【請求項２】
前記第２のロック部材は、前記蓋体に係止可能な２つの係止部を有する本体部と、前記本体部と連結された操作部と、を有し、前記２つの係止部による係止、解除を前記操作部により一括して切替可能である、請求項１に記載の電動工具収納ケース。
【請求項３】
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、を備え、
前記第２のロック部材は、前記蓋体に係止可能な２つの係止部を有する本体部と、前記本体部と連結された操作部と、を有し、前記２つの係止部による係止、解除を前記操作部により一括して切替可能である、電動工具収納ケース。
【請求項４】
前記２つの係止部が、前記第２のロック部材の幅方向両端部近傍に位置する、請求項２又は３に記載の電動工具収納ケース。
【請求項５】
前記第２のケースは、前記第２のロック部材の前記操作部を支持する第２のロック支持部を有し、前記第２のロック支持部が左右２箇所に分かれて設けられている、請求項２から４のいずれか一項に記載の電動工具収納ケース。
【請求項６】
前記蓋体は、回動規制有効状態の前記第２のロック部材の前記本体部の背後となる位置に把手部を有し、前記第２のロック部材による回動規制解除状態では前記把手部を利用して前記蓋体を前記第２のケースに対して回動可能である、請求項２から５のいずれか一項に記載の電動工具収納ケース。
【請求項７】
前記第２のケースは、前記第２のロック部材の前記操作部の回動下限位置を定めるストッパ部を有し、
前記操作部は、前記回動下限位置にあるとき、前記第２のケースを前記第１のケースに対して回動させる際に前記第１のケースと干渉せず、
前記本体部は、前記操作部によって回動下限位置が定められる、請求項２から６のいずれか一項に記載の電動工具収納ケース。
【請求項８】
前記第２のケースは、前記第１のケースの一方の前記ハンドルベース部と連なる凸部を有し、前記ハンドルベース部と前記凸部を貫くように施錠用穴が設けられている、請求項１から７のいずれか一項に記載の電動工具収納ケース。
【請求項９】
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、を備え、
前記蓋体は、上面部と、前記上面部から下方に延びて本電動工具収納ケースの側方に露出した外壁部と、を有し、前記外壁部が前記第２のケースの側壁部よりも外側に位置するように構成した、電動工具収納ケース。
【請求項１０】
前記蓋体は、前記外壁部の内側に凸条部を有し、前記凸条部が前記第２のケースの凹溝に入り込むように構成し、
前記蓋体の前記外壁部が、前記第１のロック部材と前記第２のケースの側壁との間に延在する、請求項９に記載の電動工具収納ケース。
【請求項１１】
前記第１のロック部材を支持する前記第１のケースの第１のロック支持部と、第２のロック部材を支持する前記第２のケースの第２のロック支持部とが、相互に略等しい前後方向位置に設けられている、請求項１から１０のいずれか一項に記載の電動工具収納ケース。
【請求項１２】
前記第１及び第２のケースを相互に連結する一対の第１の回動支持部と、前記第２のケース及び前記蓋体を相互に連結する一対の第２の回動支持部とが、横方向に関して略同一位置に設けられ、前記第１及び第２のケースの少なくともいずれかは、対をなす回動支持部間が外側に広がっている、請求項１から１１のいずれか一項に記載の電動工具収納ケース。
【請求項１３】
前記第１又は第２のケースに設けられたベルト穴が、上方から見て前記蓋体によって隠れている、請求項１から１２のいずれか一項に記載の電動工具収納ケース。
【請求項１４】
前記第２のケースにＬ字状収納部が設けられ、前記Ｌ字状収容部の角部が凹んで深くなっている、請求項１から１３のいずれか一項に記載の電動工具収納ケース。
【請求項１５】
前記第２のケースの中央部又は中央前部に、左右寸法１１３ｍｍ、前後寸法９３ｍｍ、上下寸法３１ｍｍ以上の収納部、又は、左右寸法１１０ｍｍ、前後寸法８３ｍｍ以上の収容部が設けられている、請求項１４に記載の電動工具収納ケース。
【手続補正２】
【補正対象書類名】明細書
【補正対象項目名】０００７
【補正方法】変更
【補正の内容】
【０００７】
本発明の第１の態様は、電動工具収納ケースである。この電動工具収納ケースは、
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、
前記第１のケース及び前記第２のケースのいずれかに設けられて前方に突出する一対のハンドルベース部に回動可能に支持されたハンドルと、を備え、
前記第２のロック部材は、横方向に関して前記一対のハンドルベース部の相互対向面間に位置し、かつ前記相互対向面間の距離の３０％以上の横幅又は４０ｍｍ以上の横幅を有する。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
本発明の第２の態様は、電動工具収納ケースである。この電動工具収納ケースは、
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、を備え、
前記第２のロック部材は、前記蓋体に係止可能な２つの係止部を有する本体部と、前記本体部と連結された操作部と、を有し、前記２つの係止部による係止、解除を前記操作部により一括して切替可能である。
【手続補正５】
【補正対象書類名】明細書
【補正対象項目名】００１４
【補正方法】変更
【補正の内容】
【００１４】
前記第２のケースは、前記第２のロック部材の前記操作部の回動下限位置を定めるストッパ部を有し、
前記操作部は、前記回動下限位置にあるとき、前記第２のケースを前記第１のケースに対して回動させる際に前記第１のケースと干渉せず、
前記本体部は、前記操作部によって回動下限位置が定められてもよい。
【手続補正６】
【補正対象書類名】明細書
【補正対象項目名】００１５
【補正方法】削除
【補正の内容】
【手続補正７】
【補正対象書類名】明細書
【補正対象項目名】００１７
【補正方法】変更
【補正の内容】
【００１７】
本発明の第３の態様は、電動工具収納ケースである。この電動工具収納ケースは、
第１のケースと、
前記第１のケースの上方に回動可能に設けられた第２のケースと、
前記第２のケースの上方に回動可能に設けられた蓋体と、
前記第１のケースに対する前記第２のケースの回動を規制する第１のロック部材と、
前記第２のケースに対する前記蓋体の回動を規制する第２のロック部材と、を備え、
前記蓋体は、上面部と、前記上面部から下方に延びて本電動工具収納ケースの側方に露出した外壁部と、を有し、前記外壁部が前記第２のケースの側壁部よりも外側に位置するように構成している。
【手続補正８】
【補正対象書類名】明細書
【補正対象項目名】００１８
【補正方法】変更
【補正の内容】
【００１８】
前記蓋体は、前記外壁部の内側に凸条部を有し、前記凸条部が前記第２のケースの凹溝に入り込むように構成し、
前記蓋体の前記外壁部が、前記第１のロック部材と前記第２のケースの側壁との間に延在してもよい。
【手続補正９】
【補正対象書類名】明細書
【補正対象項目名】００１９
【補正方法】削除
【補正の内容】
【手続補正１０】
【補正対象書類名】明細書
【補正対象項目名】００２３
【補正方法】変更
【補正の内容】
【００２３】
前記第２のケースにＬ字状収納部が設けられ、前記Ｌ字状収容部の角部が凹んで深くなっていてもよい。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
前記第２のケースの中央部又は中央前部に、左右寸法１１３ｍｍ、前後寸法９３ｍｍ、上下寸法３１ｍｍ以上の収納部、又は、左右寸法１１０ｍｍ、前後寸法８３ｍｍ以上の収容部が設けられてもよい。
【手続補正１４】
【補正対象書類名】明細書
【補正対象項目名】００２７
【補正方法】削除
【補正の内容】